(57)【要約】【課題】注目する時間帯以外の時間帯に放送される番組、および、注目するチャンネル以外のチャンネルで放送される番組の情報をも確認することができるようにする。【解決手段】時間別番組表３１は、１時間などのある時間帯（「２０：００」の時間帯）に注目し、その時間帯に各チャンネルで放送される番組の番組名などをリスト表示する。チャンネル別番組表３２は、ある１つのチャンネル（時間別番組表３１でカーソルＣがあてられている「テレビ夕日」）に注目し、そのチャンネルで各時間帯に放送される番組の番組名などをリスト表示する。本発明は、EPGを表示するディジタルテレビジョン受像機に適用することができる。【選択図】図４
2006332925.tif 000002
【特許請求の範囲】
【請求項１】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表において選択するチャンネルがカーソルにより切り替えられることに応じて、切り替え後のチャンネルの前記チャンネル別番組表を表示させる表示制御手段（例えば、図３のOSD付加回路２２）を備える
ことを特徴とする表示制御装置。
【請求項２】
前記表示制御手段は、さらに、前記チャンネル別番組表において選択する時間帯がカーソルにより切り替えられることに応じて、切り替え後の時間帯の前記時間別番組表を表示させる
ことを特徴とする請求項１に記載の表示制御装置。
【請求項３】
前記表示制御手段は、番組表の表示が指示されたとき、指示された時刻を含む時間帯の前記時間別番組表であって、指示する直前にユーザが視聴していたチャンネルがカーソルにより選択された状態の前記時間別番組表と、指示する直前にユーザが視聴していたチャンネルの前記チャンネル別番組表とを並べて表示させる
ことを特徴とする請求項１に記載の表示制御装置。
【請求項４】
前記表示制御手段は、前記所定時間帯の前記時間別番組表と、前記所定時間帯に放送される番組の情報に続けて他の時間帯に放送される番組の情報が並べて表示される前記チャンネル別番組表を並べて表示させる
ことを特徴とする請求項１に記載の表示制御装置。
【請求項５】
前記表示制御手段は、前記時間別番組表と前記チャンネル別番組表のうち、カーソルにより所定のチャンネルが、または所定の時間帯が選択されている方の番組表に、広い表示領域を与えて前記時間別番組表と前記チャンネル別番組表を並べて表示させる
ことを特徴とする請求項１に記載の表示制御装置。
【請求項６】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表において選択するチャンネルがカーソルにより切り替えられることに応じて、切り替え後のチャンネルの前記チャンネル別表示を表示させる表示制御ステップ（例えば、図９のステップＳ５）を含む
ことを特徴とする表示制御方法。
【請求項７】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表において選択するチャンネルがカーソルにより切り替えられることに応じて、切り替え後のチャンネルの前記チャンネル別表示を表示させる表示制御ステップを含む
処理をコンピュータに実行させるプログラム。
【発明の詳細な説明】
【技術分野】
【０００１】
本発明は、表示制御装置および方法、並びにプログラムに関し、特に、注目する時間帯以外の時間帯に放送される番組、および、注目するチャンネル以外のチャンネルで放送される番組の情報をもユーザが確認することができるようにした表示制御装置および方法、並びにプログラムに関する。
【背景技術】
【０００２】
従来より、番組表の表示方法として、１方向に時間軸をとり、その方向と直交する方向にチャンネル軸をとって、それぞれのチャンネルで放送される番組の情報を、番組の放送時間に応じた位置に表示させる２次元表示がある。
【０００３】
図１および図２は、２次元表示された番組表の例を示す図である。
【０００４】
図１の例においては、縦方向に時間軸が、それと直交する方向の横方向にチャンネル軸がとられ、それぞれの番組の情報（番組名）が番組の放送時間に応じた位置に表示されている。また、図２の例においては、縦方向にチャンネル軸が、それと直交する方向の横方向に時間軸がとられ、それぞれの番組の情報が番組の放送時間に応じた位置に表示されている。
【０００５】
これにより、ユーザは、それぞれの時間帯に、どのチャンネルでどのような番組が放送されるのかを確認することができる。
【０００６】
ところで、このように、２次元表示された番組表によれば、ユーザは、それぞれの時間帯に複数のチャンネルで放送される番組を１画面で確認することができるものの、それぞれの番組に割り当てられる表示範囲が狭くなり、１つの番組の情報を詳しく表示させることができない。例えば、番組表を表示させる元になる情報であるEPG(Electronic Program Guide)には、番組の番組名や放送時間の他、出演者、番組の概要などの情報も含まれているにもかかわらず、それらの情報を十分に番組表に表示させることができない。
【０００７】
そこで、それぞれの番組についてより多くの情報を表示させることができるように、２次元表示以外の番組表の表示方法として、例えば、時間別表示（時刻別表示）とチャンネル別表示も従来より提案されている。
【０００８】
時間別表示は、１時間などのある時間帯に注目し、その時間帯に各チャンネルで放送される番組の番組名などをリスト表示するものである。また、チャンネル別表示は、ある１つのチャンネルに注目し、そのチャンネルで各時間帯に放送される番組の番組名などをリスト表示するものである。例えば、非特許文献１には、これらの時間別表示とチャンネル別表示について記載されている。
【非特許文献１】「ハードディスク搭載DVDレコーダ『スゴ録』  電子番組表（EPG）／番組追跡録画」＜http://www.sony.jp/products/Consumer/dvdrecorder/products/rdr_hx100_hx90.html＞
【発明の開示】
【発明が解決しようとする課題】
【０００９】
しかしながら、上述した時間別表示は、１時間などの所定の時間に注目するものであるから、当然、注目する時間帯を切り替えるなどの操作を行わない限り、他の時間帯に放送される番組をユーザは確認することができない。
【００１０】
また、チャンネル別表示は、１つのチャンネルに注目するものであるから、当然、注目するチャンネルを切り替えるなどの操作を行わない限り、他のチャンネルで放送される番組をユーザは確認することができない。
【００１１】
本発明はこのような状況に鑑みてなされたものであり、注目する時間帯以外の時間帯に放送される番組、および、注目するチャンネル以外のチャンネルで放送される番組の情報をもユーザが確認することができるようにするものである。
【課題を解決するための手段】
【００１２】
本発明は、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、時間別番組表において選択するチャンネルがカーソルにより切り替えられることに応じて、切り替え後のチャンネルのチャンネル別番組表を表示させる表示制御手段／ステップを備えることを特徴とする。
【００１３】
表示制御手段は、さらに、チャンネル別番組表において選択する時間帯がカーソルにより切り替えられることに応じて、切り替え後の時間帯の時間別番組表を表示させるようにすることができる。
【００１４】
表示制御手段は、番組表の表示が指示されたとき、指示された時刻を含む時間帯の時間別番組表であって、指示する直前にユーザが視聴していたチャンネルがカーソルにより選択された状態の時間別番組表と、指示する直前にユーザが視聴していたチャンネルのチャンネル別番組表とを並べて表示させるようにすることができる。
【００１５】
表示制御手段は、所定時間帯の時間別番組表と、所定時間帯に放送される番組の情報に続けて他の時間帯に放送される番組の情報が並べて表示されるチャンネル別番組表を並べて表示させるようにすることができる。
【００１６】
表示制御手段は、時間別番組表とチャンネル別番組表のうち、カーソルにより所定のチャンネルが、または所定の時間帯が選択されている方の番組表に、広い表示領域を与えて時間別番組表とチャンネル別番組表を並べて表示させるようにすることができる。
【００１７】
本発明においては、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とが並べて表示され、時間別番組表において選択するチャンネルがカーソルにより切り替えられることに応じて、切り替え後のチャンネルのチャンネル別番組表が表示される。
【発明の効果】
【００１８】
本発明によれば、ユーザは、注目する時間帯以外の時間帯に放送される番組、および、注目するチャンネル以外のチャンネルで放送される番組の情報をも確認することができる。
【発明を実施するための最良の形態】
【００１９】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２０】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２１】
請求項１に記載の表示制御装置（例えば、図３のDTV１）は、注目する所定時間帯にそれぞれのチャンネルで放送される番組の情報が並べて表示される時間別番組表（例えば、図４に示す時間別番組表３１）と、注目するチャンネルでそれぞれの時間帯に放送される番組の情報が並べて表示されるチャンネル別番組表（例えば、図４に示すチャンネル別番組表３２）とを並べて表示させ、時間別番組表において選択するチャンネルがカーソル（例えば、図４に示すカーソルＣ）により切り替えられることに応じて、切り替え後のチャンネルのチャンネル別番組表を表示させる表示制御手段（例えば、図３のOSD付加回路２２）を備えることを特徴とする。
【００２２】
請求項２に記載の表示制御装置の表示制御手段は、さらに、チャンネル別番組表において選択する時間帯がカーソルにより切り替えられることに応じて、切り替え後の時間帯の時間別番組表を表示させる（例えば、図４の状態から図６の状態に切り替えられる）ことを特徴とする。
【００２３】
請求項４に記載の表示制御装置の表示制御手段は、所定時間帯（例えば、図４に示す「２０：００」の時間帯）の時間別番組表と、所定時間帯に放送される番組の情報（例えば、図４に示す「番組Ｅ」の情報）に続けて他の時間帯（例えば、図４に示す「２１：００」から「２４：００」までの時間帯）に放送される番組の情報（例えば、図４に示す「番組Ｆ」、「番組Ｇ」、「番組Ｈ」、「番組Ｉ」、「番組Ｊ」の情報）が並べて表示されるチャンネル別番組表を並べて表示させることを特徴とする。
【００２４】
請求項５に記載の表示制御装置の表示制御手段は、時間別番組表とチャンネル別番組表のうち、カーソルにより所定のチャンネルが、または所定の時間帯が選択されている方の番組表（例えば、図９の状態では、時間別番組表３１）に、広い表示領域を与えて時間別番組表とチャンネル別番組表を並べて表示させることを特徴とする。
【００２５】
請求項６に記載の表示制御方法は、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、時間別番組表において選択するチャンネルがカーソルにより切り替えられることに応じて、切り替え後のチャンネルのチャンネル別表示を表示させる表示制御ステップ（例えば、図９のステップＳ５）を含むことを特徴とする。
【００２６】
請求項７に記載に記録されているプログラムにおいても、各ステップが対応する実施の形態（但し一例）は、請求項６に記載の表示制御方法と同様である。
【００２７】
以下、本発明の実施の形態について図を参照して説明する。
【００２８】
図３は、本発明の一実施形態に係るDTV(Digital Television)１の構成例を示すブロック図である。
【００２９】
CPU(Central Processing Unit)１１は、メモリ１２に記憶されているプログラムを実行し、受光部１３から供給されてくる信号に応じてDTV１の全体の動作を制御する。
【００３０】
また、CPU１１は、ユーザにより番組表の表示が指示されたとき、各部を制御し、DEMUX１６から供給されてきたEPG(Electronic Program Guide)に基づいて番組表をディスプレイ２３に表示させる。DTV１においては、後に詳述するように、時間別表示された番組表（時間別番組表）とチャンネル別表示された番組表（チャンネル別番組表）が並べて表示され、それらの表示がカーソルの移動に応じて連動して切り替わる番組表が表示される。
【００３１】
受光部１３は、リモートコントローラ３からの赤外線を受光し、復調して得られたユーザ操作に対応する信号をCPU１１に出力する。
【００３２】
チューナ１４は、CPU１１による制御に従って、アンテナ２からの放送信号を受信、復調し、所定のチャンネルで放送されてきたトランスポートストリーム（TS）をデスクランブラ１５に出力する。なお、受信された放送信号には、放送予定の番組の情報であるEPGも含まれている
【００３３】
デスクランブラ１５は、図示せぬCASカードに記憶されているデータを用いてスクランブルを解くキーを生成し、チューナ１４から供給されてきたトランスポートストリームのスクランブルを解除する。デスクランブラ１５によりスクランブルが解除されたトランスポートストリームはDEMUX（デマルチプレクサ）１６に供給される。
【００３４】
DEMUX１６は、CPU１１による制御に従って、デスクランブラ１５から供給されてきたトランスポートストリームから所定のストリームを抽出し、抽出したストリーム（ストリームを構成するパケット）をAudioデコーダ１７、Videoデコーダ２０に出力する。また、DEMUX１６は、トランスポートストリームから抽出したEPGをCPU１１に出力する。
【００３５】
Audioデコーダ１７は、DEMUX１６から供給されてきたオーディオデータ（オーディオパケット）をデコードし、得られたオーディオデータを音声処理回路１８に出力する。
【００３６】
音声処理回路１８は、Audioデコーダ１７から供給されてきたオーディオデータに対してD/A(Digital/Analog)変換、増幅処理等を施し、得られた音声をスピーカ１９から出力させる。
【００３７】
Videoデコーダ２０は、DEMUX１６から供給されてきたビデオデータ（ビデオパケット）をデコードし、得られたビデオデータを映像処理回路２１に出力する。
【００３８】
映像処理回路２１は、Videoデコーダ２０から供給されてきたビデオデータに対して所定の画像処理、D/A変換等を施し、コンテンツの画像をディスプレイ２３に表示させる。また、映像処理回路２１は、OSD(On Screen Display)付加回路２２から供給されてきたビデオデータにも基づいて所定の画像をディスプレイ２３に表示させる。
【００３９】
OSD付加回路２２は、CPU１１による制御に従ってディスプレイ２３に表示させる画像のビデオデータを生成し、生成したビデオデータを映像処理回路２１に出力する。OSD付加回路２２により、例えば、番組表を表示するためのビデオデータが生成され、それが映像処理回路２１に出力される。
【００４０】
ここで、このような構成を有するDTV１により表示される番組表について説明する。
【００４１】
図４は、DTV１により表示される画面の表示例を示す図である。
【００４２】
図４の画面は、ユーザがリモートコントローラ３などを操作して番組表の表示を指示したときに表示される。
【００４３】
図４に示されるように、DTV１により表示される番組表画面には、例えば、その左側に時間別番組表３１が、右側にチャンネル別番組表３２がそれぞれ並んで表示される。
【００４４】
時間別番組表３１は、１時間などのある時間帯に注目し、その時間帯に各チャンネルで放送される番組の番組名などをリスト表示するものである。図４の例においては、「２０：００」の時間帯が注目され、この時間帯に「MHK」、「三本テレビ」、「TBC」、「フニテレビ」、「テレビ夕日」、「テレビ京東」のそれぞれのチャンネルで放送される番組の情報として、「…」、「…」、「番組Ａ」、「番組Ｃ」、「番組Ｅ」、「…」の番組名が縦方向に並んで表示されている。
【００４５】
時間別番組表３１で注目されている時間帯である「２０：００」は、ユーザが番組表の表示を指示した時刻を含む時間帯である。
【００４６】
また、図４の例においては、時間別番組表３１に表示されるそれぞれのチャンネルのうち、「テレビ夕日」（「テレビ夕日」で放送される番組の情報の欄）にカーソルＣがあてられ、選択されている。「テレビ夕日」は、ユーザが番組表の表示を指示する直前に見ていた番組のチャンネルである。
【００４７】
ユーザは、リモートコントローラ３に設けられる上下のボタンを押してカーソルＣを移動させることによって、時間別番組表３１に表示されるチャンネルから１つのチャンネルを選択することができる。
【００４８】
カーソルＣで番組（時間別番組表３１ではチャンネルの欄、チャンネル別番組表３２では時間帯の欄）を選択した状態でさらに所定の操作を行ったとき、その番組を対象として行うことができる操作の一覧（メニュー）が表示される。ユーザは、そのメニューから選択することによって、番組の視聴を行ったり、これから放送される番組である場合には録画予約を設定したりすることができる。
【００４９】
なお、図４の例は、図１、図２に示した番組表の例に対応するものであり、具体例を省略して示す「…」の部分にも、実際には、それぞれのチャンネルで放送される番組の番組名などが表示される。また、番組の情報として番組の番組名しかそれぞれの欄に表示されていないが、実際には、それぞれの番組の出演者や概要などのEPGに含まれる各種の情報も表示される。
【００５０】
一方、チャンネル別番組表３２は、ある１つのチャンネルに注目し、そのチャンネルで各時間帯に放送される番組の番組名などをリスト表示するものであり、図４の例においては「テレビ夕日」が注目されている。
【００５１】
すなわち、チャンネル別番組表３２においては、左側の時間別番組表３１でカーソルにより選択されているチャンネルが注目され、そのチャンネルで各時間帯に放送される番組の情報が表示されるようになされている。また、チャンネル別番組表３２に表示される番組の情報は、デフォルトの状態では（ユーザが番組表画面の表示を指示した直後の状態、またはユーザが時間別番組表３１からチャンネルを選択した状態では）、左側の時間別番組表３１において注目されている時間帯に放送される番組のものを先頭として、それに続くそれぞれの時間帯に放送される番組のものが表示されるようになされている。
【００５２】
図４の例においては、時間別番組表３１で注目されている「２０：００」に「テレビ夕日」で放送される番組の番組名である「番組Ｅ」を先頭として、それに続く「２１：００」から「２４：００」までの時間帯に放送される、「番組Ｆ」、「番組Ｇ」、「番組Ｈ」、「番組Ｉ」、「番組Ｊ」のそれぞれの番組名が縦方向に並んで表示されている。
【００５３】
このような番組表画面が表示されることにより、ユーザは、左側の時間別番組表３１をみて、ある時間帯に、それぞれのチャンネルで放送される番組の情報を確認することができる。また、右側のチャンネル別番組表３２をみて、いま、左側の時間別番組表３１においてカーソルＣがあてられているチャンネルでそれぞれの時間に放送される番組の情報を確認することができる。
【００５４】
さらに、図１、図２の２次元表示された番組表と較べて１度に表示される時間帯、チャンネルの数が少ないから、番組の情報を表示するための領域をより広く確保することができる。
【００５５】
図５は、図４の状態で、ユーザがリモートコントローラ３に設けられる右ボタンを操作したときに表示される番組表画面の例を示す図である。
【００５６】
このとき、時間別番組表３１の上に表示されていたカーソルＣは右側のチャンネル別番組表３２の上に移動し、図５に示すように、先頭の時間帯である「２０：００」を選択した状態となる。ユーザは、リモートコントローラ３に設けられる上下のボタンを押してカーソルＣを移動させることによって、チャンネル別番組表３２に表示される時間帯から１つの時間帯を選択することができる。
【００５７】
図６は、図５の状態で、ユーザがリモートコントローラ３に設けられる下ボタンを操作したときに表示される番組表画面の例を示す図である。
【００５８】
このとき、チャンネル別番組表３２において「２０：００」の欄の上に表示されていたカーソルＣは、図６に示すように、「２０：００」に続く時間帯である「２１：００」の欄の上に移動し、その時間帯を選択した状態となる。
【００５９】
また、チャンネル別番組表３２においてカーソルＣにより選択する時間帯が切り替えられることに応じて時間別番組表３１において注目する時間帯も切り替えられ、時間別番組表３１の表示は、図６に示すように、切り替え後の時間帯である「２１：００」にそれぞれのチャンネルで放送される番組の番組名が表示された状態になる。図６の例においては、「…」、「…」、「番組Ａ」、「番組Ｄ」、「番組Ｆ」、「…」の番組名が表示されている。
【００６０】
時間別番組表３１とチャンネル別番組表３２の表示がこのようにして切り替えられることにより、ユーザは、チャンネル別番組表３２上でカーソルＣを移動させることによって、そのときカーソルＣで選択している時間帯に、チャンネル別番組表３２で注目されているチャンネル以外のチャンネルで放送される番組の情報をも時間別番組表３１から確認することができる。
【００６１】
図７は、図４の状態で、ユーザがリモートコントローラ３に設けられる上ボタンを操作したときに表示される番組表画面の例を示す図である。
【００６２】
このとき、時間別番組表３１において「テレビ夕日」の欄の上に表示されていたカーソルＣは、図７に示すように、「テレビ夕日」の隣（チャンネル番号で１つ前）のチャンネルである「フニテレビ」の欄の上に移動し、そのチャンネルを選択した状態となる。
【００６３】
また、時間別番組表３１においてカーソルＣにより選択するチャンネルが切り替えられることに応じてチャンネル別番組表３２において注目するチャンネルも切り替えられ、チャンネル別番組表３２の表示は、図７に示すように、切り替え後のチャンネルである「フニテレビ」でそれぞれの時間帯に放送される番組の番組名が表示された状態になる。図７の例においては、「２０：００」から「２４：００」までの間に放送される番組の番組名である「番組Ｃ」、「番組Ｄ」が表示されている。
【００６４】
時間別番組表３１とチャンネル別番組表３２の表示がこのようにして切り替えられることにより、ユーザは、時間別番組表３１上でカーソルＣを移動させることによって、そのときカーソルＣで選択しているチャンネルで、時間別番組表３１で注目されている時間帯以外の時間帯に放送される番組の情報をもチャンネル別番組表３２から確認することができる。
【００６５】
なお、ユーザは、例えば、図４の時間別番組表３１の「２０：００」の欄にカーソルＣを移動し、リモートコントローラ３の左右のボタンを押すことによって、時間別番組表３１において注目する時間帯を、いま注目している時間帯を基準として前後の時間帯に切り替えることができるようになされている。図４において「２０：００」の左右に示す三角のマークは、そのことを表している。
【００６６】
ユーザにより注目する時間帯が切り替えられたとき、時間別番組表３１には、切り替え後の時間帯にそれぞれのチャンネルで放送される番組の情報が表示された状態になる。
【００６７】
また、ユーザは、例えば、図４のチャンネル別番組表３２の「テレビ夕日」の欄にカーソルＣを移動し、リモートコントローラ３の左右のボタンを押すことによって、チャンネル別番組表３２において注目するチャンネルを、いま注目しているチャンネルを基準として隣のチャンネル（番号が隣のチャンネル）に切り替えることができるようになされている。図４において「テレビ夕日」の左右に示す三角のマークは、そのことを表している。
【００６８】
ユーザにより注目するチャンネルが切り替えられたとき、チャンネル別番組表３２には、切り替え後のチャンネルでそれぞれの時間帯に放送される番組の情報が表示された状態になる。
【００６９】
次に、図８のフローチャートを参照して、以上のような画面表示を行う、DTV１の表示制御処理について説明する。
【００７０】
ユーザにより番組表画面の表示が指示されたとき、ステップＳ１において、CPU１１は、OSD付加回路２２を制御し、デフォルトの状態の番組表画面をディスプレイ２３に表示させる。すなわち、ここでは、ユーザが番組表の表示を指示した時刻を含む時間帯に注目した時間別番組表３１と、ユーザが番組表の表示を指示する直前に見ていた番組のチャンネルに注目したチャンネル別番組表３２が並んで表示される図４に示すような番組表画面が表示される。
【００７１】
ステップＳ２において、CPU１１は、受光部１３から供給されてくる信号に基づいて、カーソルＣの移動が指示されたか否かを判定し、指示されたと判定するまで待機する。
【００７２】
CPU１１は、ステップＳ２において、カーソルＣの移動が指示されたと判定した場合、ステップＳ３に進み、いま、カーソルＣが時間別番組表３１の上に表示されているか否かを判定する。
【００７３】
ステップＳ３において、CPU１１は、例えば、図４に示すようにカーソルＣが時間別番組表３１の上に表示されていると判定した場合、ステップＳ４に進み、上下方向の移動が指示されているか否かを判定する。
【００７４】
ステップＳ４において、CPU１１は、上下方向の移動が指示されていると判定した場合、ステップＳ５に進み、OSD付加回路２２を制御し、ユーザによる指示に従ってカーソルＣの位置を移動させ、選択するチャンネルを切り替えるとともに、その切り替え後のチャンネルに注目したチャンネル別番組表３２を表示させる。すなわち、例えば、図４の状態でカーソルＣを上に移動させることが指示された場合、図７の状態の番組表画面が表示される。
【００７５】
例えば、右方向への移動が指示されたことから、ステップＳ４において、上下方向の移動が指示されていないと判定した場合、ステップＳ６に進み、CPU１１は、OSD付加回路２２を制御し、ユーザによる指示に従ってカーソルＣの位置を移動させる。この場合、図４の状態から、図５の状態に番組表画面の表示が切り替えられる。
【００７６】
ステップＳ５またはＳ６において表示を切り替えた後、ステップＳ７において、CPU１１は、番組表画面を閉じることが指示されたか否かを判定し、指示されていないと判定した場合、ステップＳ２に戻り、それ以降の処理を実行する。
【００７７】
一方、ステップＳ３において、いま、カーソルＣが時間別番組表３１の上に表示されていない、すなわち、チャンネル別番組表３２の上に表示されていると判定した場合、ステップＳ８に進み、上下方向の移動が指示されているか否かを判定する。
【００７８】
ステップＳ８において、CPU１１は、上下方向の移動が指示されていると判定した場合、ステップＳ９に進み、OSD付加回路２２を制御して、ユーザによる指示に従ってカーソルＣの位置を移動させ、選択する時間帯を切り替えるとともに、その切り替え後の時間帯に注目した時間別番組表３１を表示させる。すなわち、例えば、図５の状態でカーソルＣを下に移動させることが指示された場合、図６の状態の番組表画面が表示される。
【００７９】
例えば、左方向への移動が指示されたことから、ステップＳ８において、上下方向の移動が指示されていないと判定した場合、ステップＳ１０に進み、CPU１１は、OSD付加回路２２を制御し、ユーザによる指示に従ってカーソルＣの位置を移動させる。この場合、図５の状態から、図４の状態に番組表画面の表示が切り替えられる。
【００８０】
ステップＳ９またはＳ１０において表示を切り替えた後、ステップＳ７に進み、CPU１１は、番組表画面を閉じることが指示されたか否かを判定する。CPU１１は、ステップＳ７において、番組表画面を閉じることが指示されていないと判定した場合、ステップＳ２に戻り、それ以降の処理を実行し、一方、番組表画面を閉じることが指示されたと判定した場合、処理を終了させる。
【００８１】
以上の処理により、ユーザは、時間別番組表３１において注目される時間帯以外の時間帯に放送される番組の情報をチャンネル別番組表３２から確認することができ、また、チャンネル別番組表３２において注目されるチャンネル以外のチャンネルで放送される番組の情報を時間別番組表３１から確認することができる。
【００８２】
以上においては、時間別番組表３１とチャンネル別番組表３２がほぼ同じ割合の表示範囲で並んで表示されるものとしたが、例えば、カーソルＣがあてられている番組表の方に、あてられていない番組表より広い表示領域が与えられ、そこに表示される番組の情報の量が切り替えられるようにしてもよい。
【００８３】
図９は、このように、カーソルＣがあてられているか否かに応じて時間別番組表３１とチャンネル別番組表３２の大きさが異なる番組表画面の例を示す図である。
【００８４】
図９の例においては、時間別番組表３１にカーソルＣがあてられており、その表示領域はチャンネル別番組表３２の表示領域よりも広く、チャンネル別番組表３２よりも大きく表示されている。大きく表示されている分、時間別番組表３１には、注目している時間帯にそれぞれのチャンネルで放送される番組の情報を、チャンネル別番組表３２に表示される番組の情報よりもより多く表示させることが可能になる。
【００８５】
例えば、この状態でユーザがカーソルＣをチャンネル別番組表３２の上に移動させた場合、カーソルＣがチャンネル別番組表３２の上に移動するとともに、チャンネル別番組表３２に広い表示領域が与え、チャンネル別番組表３２が時間別番組表３１よりも大きく表示される。また、大きく表示されている分、チャンネル別番組表３２には、注目しているチャンネルでそれぞれの時間帯に放送される番組の情報を、時間別番組表３１に表示される番組の情報よりもより多く表示させることが可能になる。
【００８６】
カーソルＣがあてられている方の番組表は、ユーザが、カーソルＣがあてられていない番組表よりもよく見ている番組表であると考えられるから、カーソルＣがあてられているか否かに応じてこのように大きさが切り替えられることにより、効率的な番組情報の表示が可能になる。
【００８７】
以上においては、図４乃至図７、および図９に示すような番組表が、DTV１によって表示されるものとしたが、ハードディスクレコーダやDVDレコーダなどの録画機器の他、EPGを扱う各種の機器において表示されるようにしてもよい。
【００８８】
上述した一連の処理は、ハードウェアにより実行させることもできるが、ソフトウェアにより実行させることもできる。この場合、そのソフトウェアを実行させる装置は、例えば、図１０に示されるようなパーソナルコンピュータにより構成される。
【００８９】
図１０において、CPU４１は、ROM(Read Only Memory)４２に記憶されているプログラム、または、記憶部４８からRAM(Random Access Memory)４３にロードされたプログラムに従って各種の処理を実行する。RAM４３にはまた、CPU４１が各種の処理を実行する上において必要なデータなどが適宜記憶される。
【００９０】
CPU４１、ROM４２、およびRAM４３は、バス４４を介して相互に接続されている。このバス４４にはまた、入出力インタフェース４５も接続されている。
【００９１】
入出力インタフェース４５には、キーボード、マウスなどよりなる入力部４６、LCD(Liquid Crystal Display)などよりなるディスプレイ、並びにスピーカなどよりなる出力部４７、ハードディスクなどより構成される記憶部４８、ネットワーク２０を介しての通信処理を行う通信部４９が接続されている。
【００９２】
入出力インタフェース４５にはまた、必要に応じてドライブ５０が接続される。ドライブ５０には、磁気ディスク、光ディスク、光磁気ディスク、或いは半導体メモリなどよりなるリムーバブルメディア５１が適宜装着され、それから読み出されたコンピュータプログラムが必要に応じて記憶部４８にインストールされる。
【００９３】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００９４】
この記録媒体は、図１０に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア５１により構成されるだけでなく、装置本体に予め組み込まれた状態でユーザに提供される、プログラムが記録されているROM４２や、記憶部４８に含まれるハードディスクなどで構成される。
【００９５】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【００９６】
【図１】番組表の２次元表示の例を示す図である。
【図２】番組表の２次元表示の他の例を示す図である。
【図３】本発明の一実施形態に係るDTVの構成例を示すブロック図である。
【図４】番組表画面の表示例を示す図である。
【図５】番組表画面の他の表示例を示す図である。
【図６】番組表画面のさらに他の表示例を示す図である。
【図７】番組表画面の表示例を示す図である。
【図８】DTVの表示制御処理について説明するフローチャートである。
【図９】番組表画面の他の表示例を示す図である。
【図１０】パーソナルコンピュータの構成例を示すブロック図である。
【符号の説明】
【００９７】
１  DTV，３  リモートコントローラ，  １１  CPU，  １２  メモリ，  ２１  映像処理回路，  ２２  OSD付加回路，  ２３  ディスプレイ，  ３１  時間別番組表，  ３２  チャンネル別番組表
【図１】
2006332925.tif 000003
【図２】
2006332925.tif 000004
【図３】
2006332925.tif 000005
【図４】
2006332925.tif 000006
【図５】
2006332925.tif 000007
【図６】
2006332925.tif 000008
【図７】
2006332925.tif 000009
【図８】
2006332925.tif 000010
【図９】
2006332925.tif 000011
【図１０】
2006332925.tif 000012
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表においてカーソルの移動により指定されるチャンネルが切り替えられることに応じて、切り替え後のチャンネルの前記チャンネル別番組表を表示させる表示制御手段を備える
ことを特徴とする表示制御装置。
【請求項２】
前記表示制御手段は、さらに、前記チャンネル別番組表においてカーソルの移動により指定される時間帯が切り替えられることに応じて、切り替え後の時間帯の前記時間別番組表を表示させる
ことを特徴とする請求項１に記載の表示制御装置。
【請求項３】
前記表示制御手段は、番組表の表示が指示されたとき、指示された時刻を含む時間帯の前記時間別番組表であって、指示する直前にユーザが視聴していたチャンネルがカーソルにより指定された状態の前記時間別番組表と、指示する直前にユーザが視聴していたチャンネルの前記チャンネル別番組表とを並べて表示させる
ことを特徴とする請求項１に記載の表示制御装置。
【請求項４】
前記表示制御手段は、前記所定時間帯の前記時間別番組表と、前記所定時間帯に放送される番組の情報に続けて他の時間帯に放送される番組の情報が並べて表示される前記チャンネル別番組表を並べて表示させる
ことを特徴とする請求項１に記載の表示制御装置。
【請求項５】
前記表示制御手段は、前記時間別番組表と前記チャンネル別番組表のうち、カーソルにより所定のチャンネルが、または所定の時間帯が指定されている方の番組表に、広い表示領域を与えて前記時間別番組表と前記チャンネル別番組表を並べて表示させる
ことを特徴とする請求項１に記載の表示制御装置。
【請求項６】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表においてカーソルの移動により指定されるチャンネルが切り替えられることに応じて、切り替え後のチャンネルの前記チャンネル別表示を表示させる表示制御ステップを含む
ことを特徴とする表示制御方法。
【請求項７】
注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、
前記時間別番組表においてカーソルの移動により指定されるチャンネルが切り替えられることに応じて、切り替え後のチャンネルの前記チャンネル別表示を表示させる表示制御ステップを含む
処理をコンピュータに実行させるプログラム。
【手続補正２】
【補正対象書類名】明細書
【補正対象項目名】０００６
【補正方法】変更
【補正の内容】
【０００６】
ところで、このように、２次元表示された番組表によれば、ユーザは、それぞれの時間帯に複数のチャンネルで放送される番組を１画面で確認することができるものの、それぞれの番組に割り当てられる表示範囲が狭くなり、１つの番組の情報を詳しく表示させることができない。例えば、番組表を表示させる元になる情報であるEPG(Electronic Program Guide)データには、番組の番組名や放送時間の他、出演者、番組の概要などの情報も含まれているにもかかわらず、それらの情報を十分に番組表に表示させることができない。
【手続補正３】
【補正対象書類名】明細書
【補正対象項目名】００１２
【補正方法】変更
【補正の内容】
【００１２】
本発明は、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、時間別番組表においてカーソルの移動により指定されるチャンネルが切り替えられることに応じて、切り替え後のチャンネルのチャンネル別番組表を表示させる表示制御手段／ステップを備えることを特徴とする。
【手続補正４】
【補正対象書類名】明細書
【補正対象項目名】００１３
【補正方法】変更
【補正の内容】
【００１３】
表示制御手段は、さらに、チャンネル別番組表においてカーソルの移動により指定される時間帯が切り替えられることに応じて、切り替え後の時間帯の時間別番組表を表示させるようにすることができる。
【手続補正５】
【補正対象書類名】明細書
【補正対象項目名】００１４
【補正方法】変更
【補正の内容】
【００１４】
表示制御手段は、番組表の表示が指示されたとき、指示された時刻を含む時間帯の時間別番組表であって、指示する直前にユーザが視聴していたチャンネルがカーソルにより指定された状態の時間別番組表と、指示する直前にユーザが視聴していたチャンネルのチャンネル別番組表とを並べて表示させるようにすることができる。
【手続補正６】
【補正対象書類名】明細書
【補正対象項目名】００１６
【補正方法】変更
【補正の内容】
【００１６】
表示制御手段は、時間別番組表とチャンネル別番組表のうち、カーソルにより所定のチャンネルが、または所定の時間帯が指定されている方の番組表に、広い表示領域を与えて時間別番組表とチャンネル別番組表を並べて表示させるようにすることができる。
【手続補正７】
【補正対象書類名】明細書
【補正対象項目名】００１７
【補正方法】変更
【補正の内容】
【００１７】
本発明においては、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とが並べて表示され、時間別番組表においてカーソルの移動により指定されるチャンネルが切り替えられることに応じて、切り替え後のチャンネルのチャンネル別番組表が表示される。
【手続補正８】
【補正対象書類名】明細書
【補正対象項目名】００２１
【補正方法】変更
【補正の内容】
【００２１】
請求項１に記載の表示制御装置（例えば、図３のDTV１）は、注目する所定時間帯にそれぞれのチャンネルで放送される番組の情報が並べて表示される時間別番組表（例えば、図４に示す時間別番組表３１）と、注目するチャンネルでそれぞれの時間帯に放送される番組の情報が並べて表示されるチャンネル別番組表（例えば、図４に示すチャンネル別番組表３２）とを並べて表示させ、時間別番組表においてカーソル（例えば、図４に示すカーソルＣ）の移動により指定されるチャンネルが切り替えられることに応じて、切り替え後のチャンネルのチャンネル別番組表を表示させる表示制御手段（例えば、図３のOSD付加回路２２）を備えることを特徴とする。
【手続補正９】
【補正対象書類名】明細書
【補正対象項目名】００２２
【補正方法】変更
【補正の内容】
【００２２】
請求項２に記載の表示制御装置の表示制御手段は、さらに、チャンネル別番組表においてカーソルの移動により指定される時間帯が切り替えられることに応じて、切り替え後の時間帯の時間別番組表を表示させる（例えば、図５の状態から図６の状態に切り替えられる）ことを特徴とする。
【手続補正１０】
【補正対象書類名】明細書
【補正対象項目名】００２４
【補正方法】変更
【補正の内容】
【００２４】
請求項５に記載の表示制御装置の表示制御手段は、時間別番組表とチャンネル別番組表のうち、カーソルにより所定のチャンネルが、または所定の時間帯が指定されている方の番組表（例えば、図９の状態では、時間別番組表３１）に、広い表示領域を与えて時間別番組表とチャンネル別番組表を並べて表示させることを特徴とする。
【手続補正１１】
【補正対象書類名】明細書
【補正対象項目名】００２５
【補正方法】変更
【補正の内容】
【００２５】
請求項６に記載の表示制御方法は、注目する所定時間帯にそれぞれのチャンネルで放送される番組の情報が並べて表示される時間別番組表と、注目するチャンネルでそれぞれの時間帯に放送される番組の情報が並べて表示されるチャンネル別番組表とを並べて表示させ、時間別番組表においてカーソルの移動により指定されるチャンネルが切り替えられることに応じて、切り替え後のチャンネルのチャンネル別表示を表示させる表示制御ステップ（例えば、図８のステップＳ５）を含むことを特徴とする。
【手続補正１２】
【補正対象書類名】明細書
【補正対象項目名】００９１
【補正方法】変更
【補正の内容】
【００９１】
入出力インタフェース４５には、キーボード、マウスなどよりなる入力部４６、LCD(Liquid Crystal Display)などよりなるディスプレイ、並びにスピーカなどよりなる出力部４７、ハードディスクなどより構成される記憶部４８、ネットワークを介しての通信処理を行う通信部４９が接続されている。
【手続補正１３】
【補正対象書類名】図面
【補正対象項目名】図６
【補正方法】変更
【補正の内容】
【図６】
2006332925.tif 000013